(57)【要約】【課題】ペットを立位姿勢に保持することができ、側方に倒れにくいペット用姿勢保持台を提供する。【解決手段】左サイド台３０Ｌおよび右サイド台３０Ｒの内側斜面３５の上下方向の寸法Ｈ１は、胴部支持面１２ａの左右方向の寸法Ｗ１の１／２以上である。前後方向と直交する断面において、内側斜面３５が水平線ＨＬとなす角の角度θ１は４５°以上かつ９０°未満に設定されている。前後方向と直交する断面において、胴部支持面１２ａの左端１２ａＬと左サイド台３０Ｌの底面３２の左端３２Ｌとを結ぶ直線Ｌ１と左サイド台３０Ｌの底面３２とがなす角の角度θ２、および、胴部支持面１２ａの右端１２ａＲと右サイド台３０Ｒの底面３２の右端３２Ｒとを結ぶ直線Ｌ１と右サイド台３０Ｒの底面３２とがなす角の角度θ２は、いずれも３０°〜６０°に設定されている。【選択図】図５
2018198547.tif 000002
【特許請求の範囲】
【請求項１】
四足歩行動物からなるペットの姿勢を保持するペット用姿勢保持台であって、
前記ペットの胴部を支持する胴部支持面を有し、前後方向の寸法が左右方向の寸法よりも大きい中央台と、
前記中央台の前記胴部支持面の左側に配置された左サイド台と、
前記中央台の前記胴部支持面の右側に配置された右サイド台と、を備え、
前記左サイド台は、底面と、前記胴部支持面の左端から左斜め上向きに延びる内側斜面と、前記内側斜面よりも左方に位置する外側面と、を有し、
前記右サイド台は、底面と、前記胴部支持面の右端から右斜め上向きに延びる内側斜面と、前記内側斜面よりも右方に位置する外側面と、を有し、
前記左サイド台および前記右サイド台の前記内側斜面の上下方向の寸法は、前記胴部支持面の左右方向の寸法の１／２以上であり、
前後方向と直交する断面において、前記左サイド台および前記右サイド台の前記内側斜面が水平線となす角の角度は、いずれも４５°以上かつ９０°未満に設定されており、
前後方向と直交する断面において、前記胴部支持面の左端と前記左サイド台の前記底面の左端とを結ぶ直線と前記左サイド台の前記底面とがなす角の角度、および、前記胴部支持面の右端と前記右サイド台の前記底面の右端とを結ぶ直線と前記右サイド台の前記底面とがなす角の角度は、いずれも３０°〜６０°に設定されている、ペット用姿勢保持台。
【請求項２】
前記左サイド台と前記右サイド台とを連結し、前記中央台の前記胴部支持面の上に配置される連結体を備えた、請求項１に記載のペット用姿勢保持台。
【請求項３】
前記左サイド台、前記右サイド台、および前記連結体は、前記中央台に前後に摺動可能に設けられている、請求項２に記載のペット用姿勢保持台。
【請求項４】
前記左サイド台および前記右サイド台の前記外側面は、いずれも鉛直線から傾いた傾斜面である、請求項１〜３のいずれか一つに記載のペット用姿勢保持台。
【請求項５】
前記左サイド台および前記右サイド台は、カバーと、前記カバーの内部に配置されたクッションとを有し、
前記カバーは、前記クッションを挿入する挿入口が形成されたカバー本体と、前記挿入口を開閉自在に覆いかつ前記各サイド台の前記底面を形成するカバー蓋と、を有している、請求項１〜４のいずれか一つに記載のペット用姿勢保持台。
【請求項６】
前記カバーは、前記カバー本体と前記カバー蓋とを接続するファスナーを有している、請求項５に記載のペット用姿勢保持台。
【発明の詳細な説明】
【技術分野】
【０００１】
本発明は、犬や猫などのペットの姿勢を保持するペット用姿勢保持台に関する。
【背景技術】
【０００２】
老齢または病気のペットは、自立することが困難な場合がある。しかし、犬や猫などの四足歩行動物は、地面に伏せた状態が長く続くと体調を壊しやすい。そこで従来から、立った姿勢（以下、立位姿勢という）のペットの体重の少なくとも一部を支えることにより、ペットを立位姿勢に保持するペット用姿勢保持台が提案されている。このようなペット用姿勢保持台はペットの介護に好適であり、例えば、特許文献１および２にそのようなペット用姿勢保持台が開示されている。
【０００３】
上記ペット用姿勢保持台は、ペットの胴部が載置可能な胴部載置部と、胴部載置部の前方に配置される頭部載置部と、胴部載置部の後方に配置される臀部載置部とを備えている。また、上記ペット用姿勢保持台は、胴部載置部の側方に配置され、ペットの胴部の位置が左右にずれることを防止するストッパー部を備えている。上記ペット用姿勢保持台がこのような構成を備えていることにより、ペット用姿勢保持台に載ったペットは、自ら全体重を支えなくても立位姿勢をとることができる。
【先行技術文献】
【特許文献】
【０００４】
【特許文献１】特開２０１５−２２１０１７号公報
【特許文献２】特開２０１６−６７３３２号公報
【発明の概要】
【発明が解決しようとする課題】
【０００５】
上記ペット用姿勢保持台は、ペットを立位姿勢に保持するものであるため、ペットの脚の長さに相当する高さを有している。そのため、ペットの胴部は比較的高い位置に保持され、ペットが正しい位置に載っていない場合や暴れた場合などに、側方に倒れてしまうおそれがある。
【０００６】
本発明はかかる点に鑑みてなされたものであり、その目的は、ペットを立位姿勢に保持することができ、側方に倒れにくいペット用姿勢保持台を提供することである。
【課題を解決するための手段】
【０００７】
本発明に係るペット用姿勢保持台は、四足歩行動物からなるペットの姿勢を保持するペット用姿勢保持台であって、前記ペットの胴部を支持する胴部支持面を有し、前後方向の寸法が左右方向の寸法よりも大きい中央台と、前記中央台の前記胴部支持面の左側に配置された左サイド台と、前記中央台の前記胴部支持面の右側に配置された右サイド台と、を備えている。前記左サイド台は、底面と、前記胴部支持面の左端から左斜め上向きに延びる内側斜面と、前記内側斜面よりも左方に位置する外側面と、を有している。前記右サイド台は、底面と、前記胴部支持面の右端から右斜め上向きに延びる内側斜面と、前記内側斜面よりも右方に位置する外側面と、を有している。前記左サイド台および前記右サイド台の前記内側斜面の上下方向の寸法は、前記胴部支持面の左右方向の寸法の１／２以上である。前後方向と直交する断面において、前記左サイド台および前記右サイド台の前記内側斜面が水平線となす角の角度は、いずれも４５°以上かつ９０°未満に設定されている。前後方向と直交する断面において、前記胴部支持面の左端と前記左サイド台の底面の左端とを結ぶ直線と前記左サイド台の底面とがなす角の角度、および、前記胴部支持面の右端と前記右サイド台の底面の右端とを結ぶ直線と前記右サイド台の底面とがなす角の角度は、いずれも３０°〜６０°に設定されている。
【０００８】
上記ペット用姿勢保持台によれば、ペットの左の前脚が中央台の左方かつ左サイド台の前方に位置し、右の前脚が中央台の右方かつ右サイド台の前方に位置し、左の後脚が中央台の左方かつ左サイド台の後方に位置し、右の後脚が中央台の右方かつ右サイド台の後方に位置するようにして、ペットの胴部を中央台上に載せることにより、ペットは立位姿勢をとりつつ、体重の一部または全部をペット用姿勢保持台にあずけることができる。そのため、要介護のペットであっても、立位姿勢を保持することができる。また、ペットが左側に傾くと左サイド台がペットの体重を支え、ペットが右側に傾くと右サイド台がペットの体重を支える。そのため、ペットは立位姿勢を楽に保持することができる。また、上記ペット用姿勢保持台は前述の構成を備えているので、側方に倒れにくい。そのため、中央台上のペットの位置が左右にずれていたり、ペットが暴れたとしても、ペット用姿勢保持台は側方に倒れにくい。よって、ペットが転倒してしまうことを防止することができる。
【０００９】
本発明の好ましい一態様によれば、前記左サイド台と前記右サイド台とを連結し、前記中央台の前記胴部支持面の上に配置される連結体を備えている。
【００１０】
上記態様によれば、左サイド台と右サイド台とは連結体によって連結され、その連結体は中央台の胴部支持面の上に配置される。そのため、ペットの胴部が連結体の上に載っているときには、連結体はペットの胴部と胴部支持面とに挟まれて固定される。例えば、ペットが連結体の上に載りながら左側に体重をかけたときに、左サイド台に左向きの大きな荷重が加わる場合がある。しかし、上記態様によれば、左サイド台は、左サイド台の底面によって支えられているだけでなく、連結体によって左向きの移動が規制される。よって、左サイド台が左側に傾くことを効果的に抑制することができる。また、ペットの胴部が連結体の上に載っているときに、左サイド台および右サイド台の前後の移動が規制される。また、ペットは中央台の上で暴れることがある。その場合、例えば、ペットの胴部が連結体から離れた瞬間に、ペットの体重が左サイド台に加わる場合がある。この際、連結体がペットの胴部と中央台の胴部支持面との間に挟まれていない状態で、左サイド台に左向きの大きな荷重が加わる場合がある。しかし、上記態様によれば、左サイド台と右サイド台とは連結体によって連結されているので、その荷重は左サイド台だけでなく右サイド台にも加わる。その荷重を左サイド台および右サイド台の両方で負担することができる。よって、左サイド台と右サイド台とが連結体によって連結されていない場合に比べて、左サイド台が傾くことを効果的に抑制することができ、ペット用姿勢保持台の転倒を防止することができる。したがって、ペットが転倒してしまうことをより確実に防止することができる。
【００１１】
本発明の好ましい一態様によれば、前記左サイド台、前記右サイド台、および前記連結体は、前記中央台に前後に摺動可能に設けられている。
【００１２】
上記態様によれば、左サイド台および右サイド台が中央台に一体化されている場合や、中央台にボタンやフック等の係止手段により固定されている場合と異なり、中央台に対する左サイド台、右サイド台、および連結体の前後位置をペットの体格に応じて微調整することができる。よって、ペットは、より楽に立位姿勢をとることができる。また、個々のペットの体格に応じて左サイド台、右サイド台、および連結体の前後位置を設定することができるので、ペット用姿勢保持台の転倒をより確実に防止することができる。
【００１３】
本発明の好ましい一態様によれば、前記左サイド台および前記右サイド台の前記外側面は、いずれも鉛直線から傾いた傾斜面である。
【００１４】
上記態様によれば、左サイド台および右サイド台の安定性が向上する。よって、ペット用姿勢保持台の転倒をより確実に防止することができる。
【００１５】
本発明の好ましい一態様によれば、前記左サイド台および前記右サイド台は、カバーと、前記カバーの内部に配置されたクッションとを有している。前記カバーは、前記クッションを挿入する挿入口が形成されたカバー本体と、前記挿入口を開閉自在に覆いかつ前記各サイド台の前記底面を形成するカバー蓋と、を有している。
【００１６】
上記態様によれば、クッションはカバーによって覆われるので、クッションが汚れてしまうことを防止することができる。また、クッションを挿入する挿入口はカバー蓋により開閉自在に覆われているので、カバー蓋を開けることにより、クッションをカバーに容易に出し入れすることができる。よって、カバーの洗浄やクッションの交換などを容易に行うことができる。ここで、挿入口はカバー本体の底部に設けられ、カバー蓋はサイド台の底面を形成する。よって、カバー蓋は、ペット用姿勢保持台にペットを載せたときに、ペットが触ることができない位置に配置される。したがって、ペット用姿勢保持台に載せたペットによりカバー蓋が開けられてしまうことを防止することができる。
【００１７】
本発明の好ましい一態様によれば、前記カバーは、前記カバー本体と前記カバー蓋とを接続するファスナーを有している。
【００１８】
上記態様によれば、ファスナーにより、カバー蓋を容易かつ確実に開閉することができる。ペット用姿勢保持台にペットを載せたときに、ファスナーはペットが容易に触ることができない位置に配置されるので、ペット用姿勢保持台に載せたペットがファスナーを引っ掻いて破損させてしまうことを防止することができる。
【発明の効果】
【００１９】
本発明によれば、ペットを立位姿勢に保持することができ、側方に倒れにくいペット用姿勢保持台を提供することができる。
【図面の簡単な説明】
【００２０】
【図１】本発明の一実施形態に係るペット用姿勢保持台およびペットを表す斜視図である。
【図２】前記ペット用姿勢保持台の斜視図である。
【図３】前記ペット用姿勢保持台の平面図である。
【図４】前記ペット用姿勢保持台の側面図である。
【図５】図３のＶ−Ｖ線断面図である。
【図６】中央台の底面図である。
【図７】カバー蓋の一部を開いたときの中央台の底面図である。
【図８】サイドストッパーの斜視図である。
【図９】サイドストッパーの正面図である。
【図１０】サイドストッパーの底面図である。
【図１１】カバー蓋の一部を開いたときのサイドストッパーの底面図である。
【図１２】Ｓサイズのペット用姿勢保持台の図５相当図である。
【図１３】ＤＭサイズのペット用姿勢保持台の図５相当図である。
【図１４】Ｍサイズのペット用姿勢保持台の図５相当図である。
【図１５】ＤＬサイズのペット用姿勢保持台の図５相当図である。
【図１６】Ｌサイズのペット用姿勢保持台の図５相当図である。
【発明を実施するための形態】
【００２１】
以下、図面を参照しながら、本発明の実施の形態について説明する。図１に示すように、本実施形態に係るペット用姿勢保持台１は、犬や猫などの四足歩行動物からなるペットＰの姿勢を立位姿勢に保持する台である。図２、図３、図４は、それぞれペット用姿勢保持台１の斜視図、平面図、側面図である。以下の説明では、便宜上、図中の符号Ｆ、Ｒｒ、Ｌ、Ｒ、Ｕ、Ｄで示す方向をそれぞれ前方、後方、左方、右方、上方、下方とする。
【００２２】
図２に示すように、ペット用姿勢保持台１は、中央台１０と、左サイド台３０Ｌと、右サイド台３０Ｒと、左サイド台３０Ｌと右サイド台３０Ｒとを連結する連結帯４０とを備えている。
【００２３】
図３に示すように、中央台１０は、前後方向の寸法が左右方向の寸法よりも大きな台である。中央台１０は、ペットの頭部が載置される頭部載置部１１と、ペットの胴部が載置される胴部載置部１２と、ペットの臀部が載置される臀部載置部１３とを有している。頭部載置部１１は胴部載置部１２の前方に設けられ、臀部載置部１３は胴部載置部１２の後方に設けられている。
【００２４】
頭部載置部１１、胴部載置部１２、および臀部載置部１３の具体的形状は特に限定されないが、本実施形態では頭部載置部１１の左右方向の寸法は、胴部載置部１２および臀部載置部１３の左右方向の寸法よりも大きくなっている。なお、以下では、左右方向の寸法のことを横幅と称する。胴部載置部１２は、平面視において前方に行くほど横幅が大きくなる前部１２Ａと、平面視において横幅が一定の後部１２Ｂとを含んでいる。頭部載置部１１の後端の横幅は胴部載置部１２の前端の横幅よりも大きく、中央台１０は頭部載置部１１と胴部載置部１２との間で横幅が非連続に変化している。一方、胴部載置部１２の後端の横幅は臀部載置部１３の前端の横幅と等しく、中央台１０は胴部載置部１２と臀部載置部１３との間で横幅が一定となっている。
【００２５】
図４に示すように、中央台１０の底面は、水平面と平行な平面に形成されている。中央台１０の上面は、前後方向の中央側が凹んだ形状に形成されている。頭部載置部１１の上面は、水平面と平行な平面状に形成されている。胴部載置部１２の前部１２Ａの上面は、後方に行くほど下方に向かう傾斜面からなっている。胴部載置部１２の後部１２Ｂの上面は、水平面と平行な平面状に形成されており、ペットＰの胴部を支持する胴部支持面１２ａとなっている。臀部載置部１３の上面は、後方に行くほど上方に向かう傾斜面と、当該傾斜面の後方に位置しかつ水平面と平行な平面とを含んでいる。ただし、中央台１０の上記形状は一例に過ぎない。中央台１０は他の形状を有していてもよい。例えば、胴部載置部１２の前部１２Ａの上面は曲面であってもよい。臀部載置部１３の上面の一部は曲面であってもよい。中央台１０の上面は、前後方向の中央側が凹んだ形状に形成されていなくてもよい。
【００２６】
図５は、図３のＶ−Ｖ線断面図であり、前後方向と直交する断面を表している。図５に示すように、中央台１０は、カバー５１と、カバー５１の内部に配置された第１クッション６１および第２クッション６２とを有している。カバー５１の材料は特に限定されず、例えばウレタンレザーなどを好適に用いることができる。第１クッション６１および第２クッション６２の材料も何ら限定されず、例えば発泡ウレタンなどを好適に用いることができる。ここでは、第１クッション６１は第２クッション６２よりも反発係数の小さい材料によって形成されている。例えば、第１クッション６１は低反発発泡ウレタンによって形成され、第２クッション６２は高反発発泡ウレタンによって形成されている。また、第１クッション６１、第２クッション６２をそれぞれ発泡ウレタン、プラスチックにより形成することも可能である。第１クッション６１を第２クッション６２よりも反発係数の小さい材料で形成することにより、第１クッション６１はペットＰの体の形状に合わせて容易に変形することができる一方、第２クッション６２はペットＰの体重をしっかりと支えることができる。よって、中央台１０に載せたときのペットＰの快適性と安定性とを両立しやすくなる。
【００２７】
図６は中央台１０の底面図である。カバー５１は、第１クッション６１および第２クッション６２を挿入するための挿入口５１Ｃが形成されたカバー本体５１Ａと、挿入口５１Ｃを開閉自在に覆うカバー蓋５１Ｂと、カバー本体５１Ａとカバー蓋５１Ｂとを接続するファスナー５１Ｄとを有している。図７は、ファスナー５１Ｄを途中まで開き、カバー蓋５１Ｂの一部を裏側に折り返した状態を表す中央台１０の底面図である。なお、挿入口５１Ｃおよびカバー蓋５１Ｂが分かりやすいように、図７では第２クッション６２にハッチングを付している。図６に示すように、カバー蓋５１Ｂは、中央台１０の底面の一部を構成している。挿入口５１Ｃは中央台１０の底面に形成されている。カバー本体５１Ａとカバー蓋５１Ｂとは、挿入口５１Ｃの縁部において分離され、それ以外の部分では繋がっている。なお、図６の仮想線５１Ｅはカバー本体５１Ａとカバー蓋５１Ｂとの境界を表している。
【００２８】
図８に示すように、左サイド台３０Ｌ、右サイド台３０Ｒ、および連結帯４０は、ペットＰの側部を支えるサイドストッパー３０を構成している。サイドストッパー３０は中央台１０と別体に形成されている。サイドストッパー３０は、中央台１０に着脱自在に装着される。図２に示すように、連結帯４０を中央台１０の胴部支持面１２ａ上に載せ、左サイド台３０Ｌを胴部支持面１２ａの左側に配置し、右サイド台３０Ｒを胴部支持面１２ａの右側に配置することにより、サイドストッパー３０を中央台１０に容易に装着することができる。逆に、サイドストッパー３０を持ち上げることにより、サイドストッパー３０を中央台１０から容易に取り外すことができる。
【００２９】
図９は、サイドストッパー３０の正面図である。図９に示すように、左サイド台３０Ｌと右サイド台３０Ｒとは左右対称の形状を有している。そこで以下では、左サイド台３０Ｌの詳細な構成を説明し、右サイド台３０Ｒの構成の説明は省略する。
【００３０】
左サイド台３０Ｌは、上面３１と、底面３２と、外側面３３と、内側面３４と、内側斜面３５とを有している。上面３１および底面３２は、水平面と平行な平面である。左サイド台３０Ｌは上方に行くほど先細りの形状に形成されており、上面３１の面積は底面３２の面積よりも小さくなっている。本実施形態では、外側面３３は、下方に行くほど左右方向の外側に向かうように鉛直線から傾斜している。ただし、外側面３３は鉛直面であってもよい。また、外側面３３は、鉛直面と、当該鉛直面の上端から上方に行くほど左右方向の中央側に向かうように傾斜した傾斜面とを含んでいてもよい。内側面３４は、中央台１０の側面に重ねられる面であり、本実施形態では鉛直面である。ただし、内側面３４は中央台１０の側面に合った形状を有していればよく、例えば中央台１０の側面が曲面の場合、その曲面に合った曲面に形成されていてもよい。内側斜面３５は、内側面３４の上方に位置しており、中央台１０の胴部支持面１２ａと共にペットの胴部を支える面である。内側斜面３５は鉛直線から傾斜した傾斜面であり、上方に行くほど左右方向の外側に向かうように傾斜している。
【００３１】
図５に示すように、左サイド台３０Ｌおよび右サイド台３０Ｒは、カバー３６と、カバー３６の内部に配置されたクッション３７とを有している。中央台１０のカバー５１と同様、カバー３６の材料は特に限定されず、例えばウレタンレザーなどを好適に用いることができる。クッション３７の材料も何ら限定されず、例えば発泡ウレタンなどを好適に用いることができる。本実施形態ではクッション３７は、中央台１０の第２クッション６２と同様の高反発発泡ウレタンによって形成されている。
【００３２】
図１０はサイドストッパー３０の底面図である。カバー３６は、クッション３７を挿入するための挿入口３６Ｃが形成されたカバー本体３６Ａと、挿入口３６Ｃを開閉自在に覆うカバー蓋３６Ｂと、カバー本体３６Ａとカバー蓋３６Ｂとを接続するファスナー３６Ｄとを有している。図１１は、左サイド台３０Ｌのファスナー３６Ｄを途中まで開き、カバー蓋３６Ｂの一部を裏側に折り返した状態を表すサイドストッパー３０の底面図である。挿入口３６Ｃおよびカバー蓋３６Ｂが分かりやすいように、図１１ではクッション３７にハッチングを付している。カバー本体３６Ａは、クッション３７の前面、後面、上面、外側面、内側面、および内側斜面を覆っている。カバー蓋３６Ｂはサイド台３０Ｌ，３０Ｒの底面３２（図５参照）の一部を構成している。挿入口３６Ｃはサイド台３０Ｌ，３０Ｒの底面に形成されている。カバー蓋３６Ｂは、クッション３７の底面の少なくとも一部を覆っている。カバー本体３６Ａとカバー蓋３６Ｂとは、挿入口３６Ｃの縁部において分離され、それ以外の部分では繋がっている。図１０の仮想線は、カバー本体３６Ａとカバー蓋３６Ｂとの境界を表している。
【００３３】
本実施形態では、連結帯４０は可撓性を有している。しかし、連結帯４０は可撓性を有していなくてもよい。図９に示すように、連結帯４０の左端は、左サイド台３０Ｌにおける内側面３４と内側斜面３５との境界部分に接続されている。連結帯４０の右端は、右サイド台３０Ｒにおける内側面３４と内側斜面３５との境界部分に接続されている。ただし、連結帯４０と各サイド台３０Ｌ，３０Ｒとの連結部分の位置は特に限定されない。本実施形態では、連結帯４０はカバー３６と同様の材料によって形成されている。連結帯４０の材料として、例えばウレタンレザーなどを好適に用いることができる。
【００３４】
図５に示すように、本実施形態では、中央台１０の胴部載置部１２の後部１２Ｂの横幅は、後部１２Ｂの上下方向の寸法よりも小さい。サイド台３０Ｌ，３０Ｒの内側面３４の上下方向の寸法は、胴部載置部１２の上下方向の寸法と等しい。連結帯４０の横幅は、胴部支持面１２ａの横幅Ｗ１と等しい。サイド台３０Ｌ，３０Ｒの内側斜面３５の上下方向の寸法Ｈ１は、胴部支持面１２ａの横幅Ｗ１の１／２以上である。
【００３５】
図５に示すように、前後方向と直交する断面において、サイド台３０Ｌ，３０Ｒの内側斜面３５が水平線ＨＬとなす角の角度θ１は、６０°に設定されている。なお、本明細書において、２本の直線がなす角の角度とは、２本の直線がなす２つの角のうち９０°以下の方の角の角度のことを意味するものとする。上記角度θ１は６０°に限定されず、４５°以上かつ９０°未満の任意の角度であってもよい。角度θ１は５０°〜７０°の範囲内の任意の角度であってもよい。また、θ１は５５°〜６５°の範囲内の任意の角度であってもよい。
【００３６】
また、前後方向と直交する断面において、胴部支持面１２ａの左端１２ａＬと左サイド台３０Ｌの底面３２の左端３２Ｌとを結ぶ直線Ｌ１と左サイド台３０Ｌの底面３２とがなす角の角度θ２は、５３°に設定されている。同様に、前後方向と直交する断面において、胴部支持面１２ａの右端１２ａＲと右サイド台３０Ｒの底面３２の右端３２Ｒとを結ぶ直線Ｌ１と右サイド台３０Ｒの底面３２とがなす角の角度θ２は、５３°に設定されている。ただし、上記角度θ２は５３°に限定されず、例えば、３０°〜６０°の範囲内の任意の角度であってもよい。上記角度θ２は、３８°〜５３°の範囲内の任意の角度であってもよい。
【００３７】
以上が一実施形態に係るペット用姿勢保持台１の構成である。本願発明者は、上記実施形態を含む複数の実施形態に係るペット用姿勢保持台について、安定性を確かめるための傾き転倒試験を行った。次に、その傾き転倒試験について説明する。
【００３８】
傾き転倒試験は、以下のようにして行った。まず、ペット用姿勢保持台を試験台に載せ、そのペット用姿勢保持台の上にペットを模擬した錘を載せる。次に、試験台の水平面からの傾斜角度をセンサによって計測しながら、試験台を側方に傾けていく。そして、傾斜角度が予め定めた所定角度になってもペット用姿勢保持台が転倒しないかどうかを目視にて観察した。本願発明者の経験上、傾斜角度が１０°になっても転倒しないペット用姿勢保持台であれば、実用上十分に安定性が高いと判断することができる。そこで、傾き転倒試験では、評価基準となる上記所定角度を１０°に設定した。
【００３９】
ところで、ペットＰの体格は様々である。例えば、体重の異なる複数種類のペットＰが存在する。そこで、傾き転倒試験では、小型犬、中型犬、大型犬を模擬した３種類の錘を用いることとした。詳しくは、両端を閉鎖した円筒状のパイプ内に砂水を封入したものを錘として用いた。小型犬を模擬した錘（以下、小型の錘という）の直径は８５ｍｍ、軸線方向長さは２５０ｍｍ、重量は約４ｋｇである。中型犬を模擬した錘（以下、中型の錘という）の直径は１２４ｍｍ、軸線方向長さは４００ｍｍ、重量は約１４ｋｇである。大型犬を模擬した錘（以下、大型の錘という）の直径は１３９ｍｍ、軸線方向長さは５００ｍｍ、重量は約２６ｋｇである。
【００４０】
ペット用姿勢保持台のサンプルとして、それぞれ小型犬、中型犬、大型犬に対応したＳサイズ、Ｍサイズ、Ｌサイズのペット用姿勢保持台を準備した。また、体重がほぼ同じであっても、脚の長さの異なる複数種類のペットＰが存在する。例えば、ダックスフンドなどのように、脚が比較的短いペットＰが存在する。そこで、それぞれ脚の短い中型犬、脚の短い大型犬に対応したＤＭサイズ、ＤＬサイズのペット用姿勢保持台も準備することとした。Ｓサイズ、ＤＭサイズ、Ｍサイズ、ＤＬサイズ、Ｌサイズのペット用姿勢保持台の形状および寸法は、それぞれ図１２、図１３、図１４、図１５、図１６に示す通りである。なお、図１２〜図１６において、角度を表す数値以外の数値は長さを表しており、それらの単位はｍｍである。
【００４１】
Ｓサイズのペット用姿勢保持台の試験では、小型の錘を用いた。ＤＭサイズおよびＭサイズのペット用姿勢保持台の試験では、中型の錘を用いた。ＤＬサイズおよびＬサイズのペット用姿勢保持台の試験では、大型の錘を用いた。試験の結果、Ｓサイズ、ＤＭサイズ、Ｍサイズ、ＤＬサイズ、およびＬサイズのペット用姿勢保持台のいずれにおいても、傾斜角度が１０°になっても転倒しないことが確認された。
【００４２】
以上のように、前記実施形態に係るペット用姿勢保持台１によれば、ペットＰの左の前脚が中央台１０の左方かつ左サイド台３０Ｌの前方に位置し、右の前脚が中央台１０の右方かつ右サイド台３０Ｒの前方に位置し、左の後脚が中央台１０の左方かつ左サイド台３０Ｌの後方に位置し、右の後脚が中央台１０の右方かつ右サイド台３０Ｒの後方に位置するようにして、ペットＰの胴部を中央台１０上に載せることにより、ペットＰは立位姿勢をとりつつ体重の一部または全部をペット用姿勢保持台１にあずけることができる（図１参照）。そのため、要介護のペットＰであっても、立位姿勢を保持することができる。また、ペット用姿勢保持台１によれば、ペットが左側に傾くと左サイド台３０ＬがペットＰの体重を支え、ペットＰが右側に傾くと右サイド台３０ＲがペットＰの体重を支える。そのため、ペットＰは立位姿勢を楽に保持することができる。
【００４３】
また、図５に示すように、ペット用姿勢保持台１では、左右のサイド台３０Ｌ，３０Ｒの内側斜面３５の上下方向の寸法Ｈ１は、胴部支持面１２ａの左右方向の寸法Ｗ１の１／２以上である。前後方向と直交する断面において、内側斜面３５が水平線ＨＬとなす角の角度θ１は４５°以上かつ９０°未満に設定されている。前後方向と直交する断面において、胴部支持面１２ａの左端１２ａＬと左サイド台３０Ｌの底面３２の左端３２Ｌとを結ぶ直線Ｌ１と左サイド台３０Ｌの底面３２とがなす角の角度θ２は、３０°〜６０°に設定されている。前後方向と直交する断面において、胴部支持面１２ａの右端１２ａＲと右サイド台３０Ｒの底面３２の右端３２Ｒとを結ぶ直線Ｌ１と右サイド台３０Ｒの底面３２とがなす角の角度θ２は、３０°〜６０°に設定されている。このような構成を備えているので、ペット用姿勢保持台１は側方に倒れにくい。そのため、中央台１０上のペットＰの位置が左右にずれていたり、ペットＰが暴れたとしても、ペット用姿勢保持台１は側方に倒れにくい。よって、ペット用姿勢保持台１によれば、ペットＰが転倒してしまうことをより確実に防止することができる。
【００４４】
左サイド台３０Ｌと右サイド台３０Ｒとは分離されていてもよいが、前記実施形態では、左サイド台３０Ｌと右サイド台３０Ｒとは連結帯４０によって連結され、その連結帯４０は中央台１０の胴部支持面１２ａの上に配置される。そのため、ペットＰの胴部が連結帯４０の上に載っているときには、連結帯４０はペットＰの胴部と胴部支持面１２ａとに挟まれて固定される。例えば、ペットＰが連結帯４０の上に載りながら左側に体重をかけたときに、左サイド台３０Ｌに左向きの大きな荷重が加わる場合がある。しかし、左サイド台３０Ｌは、左サイド台３０Ｌの底面３２に支えられているだけでなく、連結帯４０によって左向きの移動が規制される。よって、前記実施形態によれば、左サイド台３０Ｌが左側に傾くことを効果的に抑制することができる。同様に、ペットＰが右側に体重をかけたときに、右サイド台３０Ｒが右側に傾くことを効果的に抑制することができる。また、ペットＰの胴部が連結帯４０の上に載っているときに、左サイド台３０Ｌおよび右サイド台３０Ｒの前後の移動が規制される。
【００４５】
また、ペットＰは中央台１０の上で暴れることがある。その場合、例えば、ペットＰの胴部が連結帯４０から離れた瞬間に、ペットＰの体重が左サイド台３０Ｌに加わる場合がある。このような場合、連結帯４０がペットＰの胴部と中央台１０の胴部支持面１２ａとの間に挟まれていない状態で、左サイド台３０Ｌに左向きの大きな荷重が加わる場合がある。しかし、左サイド台３０Ｌと右サイド台３０Ｒとは連結帯４０によって連結されているので、その荷重は左サイド台３０Ｌだけでなく右サイド台３０Ｒにも加わる。よって、その荷重を左サイド台３０Ｌおよび右サイド台３０Ｒの両方で負担することができる。したがって、前記実施形態によれば、左サイド台３０Ｌと右サイド台３０Ｒとが連結帯４０によって連結されていない場合に比べて、左サイド台３０Ｌの傾きを効果的に抑制することができ、ペット用姿勢保持台１の転倒を防止することができる。なお、ペットＰが暴れて右側に体重をかけたときにも、同様にして、右サイド台３０Ｒが右側に傾くことを効果的に抑制することができ、ペット用姿勢保持台１の転倒を防止することができる。よって、ペットＰが転倒してしまうことをより確実に防止することができる。
【００４６】
前記実施形態に係るペット用姿勢保持台１では、サイドストッパー３０は中央台１０に前後に摺動可能に設けられている。そのため、左サイド台３０Ｌおよび右サイド台３０Ｒが中央台１０に一体化されている場合や、中央台１０にボタンやフック等の係止手段により固定されている場合と異なり、中央台１０に対するサイドストッパー３０の前後位置をペットＰの体格に応じて微調整することができる。よって、ペットＰは、より楽に立位姿勢をとることができる。また、個々のペットＰの体格に応じてサイドストッパー３０の前後位置を調整することにより、ペット用姿勢保持台１の転倒をより確実に防止することができる。
【００４７】
ＤＭサイズ（図１３参照）、Ｍサイズ（図１４参照）、ＤＬサイズ（図１５参照）、およびＬサイズ（図１６参照）のペット用姿勢保持台１では、サイド台３０Ｌ，３０Ｒの外側面３３は鉛直線から傾いた傾斜面である。サイド台３０Ｌ，３０Ｒは、下方に行くほど横幅が大きくなっている。これにより、サイド台３０Ｌ、３０Ｒの安定性が向上する。よって、ペット用姿勢保持台１の転倒をより確実に防止することができる。
【００４８】
図５に示すように、前記実施形態に係るペット用姿勢保持台１のサイド台３０Ｌ，３０Ｒは、カバー３６と、カバー３６の内部に配置されたクッション３７とを有している。クッション３７はカバー３６によって覆われるので、クッション３７が汚れてしまうことを防止することができる。図１１に示すように、カバー３６は、クッション３７を挿入する挿入口３６Ｃが形成されたカバー本体３６Ａと、挿入口３６Ｃを開閉自在に覆うカバー蓋３６Ｂとを有している。カバー蓋３６Ｂを開けることにより、クッション３７をカバー３６に容易に出し入れすることができる。よって、カバー３６の洗浄やクッション３７の交換などを容易に行うことができる。また、カバー蓋３６Ｂはサイド台３０Ｌ，３０Ｒの底面３２（図５参照）を形成している。ペット用姿勢保持台１を使用するとき、すなわちペットＰをペット用姿勢保持台１に載せたときに、カバー蓋３６ＢはペットＰが触ることができない位置に配置される。したがって、ペットＰによりカバー蓋３６Ｂが開けられてしまうことを防止することができる。
【００４９】
また、カバー３６は、カバー本体３６Ａとカバー蓋３６Ｂとを接続するファスナー３６Ｄを有している。そのため、ファスナー３６Ｄにより、カバー蓋３６Ｂを容易かつ確実に開閉することができる。また、ペット用姿勢保持台１にペットＰを載せたときに、ファスナー３６ＤはペットＰが容易に触ることができない位置に配置される。そのため、ペットＰがファスナー３６Ｄを引っ掻いて破損してしまうことを防止することができる。
【００５０】
以上、本発明のいくつかの実施形態について説明したが、前記実施形態は例示に過ぎず、本発明が他にも種々の形態にて実施できることは勿論である。以下、他の実施形態の例について簡単に説明する。
【００５１】
前記実施形態では、内側斜面３５は鉛直線から傾斜した平面であるが、内側斜面３５は鉛直線から傾斜した曲面であってもよい。また、内側斜面３５には凹凸が設けられていてもよい。内側斜面３５は突起等を備えていてもよい。更に、内側斜面３５に限らず、前述の面の一つまたは二つ以上に凹凸が設けられていてもよく、突起等が設けられていてもよい。
【００５２】
連結帯４０は左サイド台３０Ｌと右サイド台３０Ｒとを連結する連結体の一例であるが、連結体は帯状でなくてもよい。連結体は、１本または複数本の紐からなっていてもよい。また、連結体は板であってもよい。
【００５３】
サイドストッパー３０は、胴部支持面１２ａの上に配置される連結体（例えば連結帯４０）に加えて、中央台１０の下に配置される連結体を備えていてもよい。例えば、左サイド台３０Ｌと右サイド台３０Ｒとは、内側斜面の下端同士を連結する連結体と、内側面の下端同士を連結する連結体とを備えていてもよい。
【００５４】
前記実施形態に係るペット用姿勢保持台１は、１つのサイドストッパー３０を備えているが、サイドストッパー３０の個数は限定されない。例えば、ペット用姿勢保持台１は、前後に並んだ２つのサイドストッパー３０を備えていてもよい。
【００５５】
前記実施形態では、サイドストッパー３０は中央台１０に対して前後に摺動可能であるが、摺動不能であってもよい。例えば、サイドストッパー３０は、中央台１０に対してボタンやフック等により固定されていてもよい。また、サイドストッパー３０は中央台１０に一体化されていてもよい。
【００５６】
前記実施形態では、中央台１０のカバー５１には挿入口５１Ｃが形成されているが、挿入口５１Ｃはなくてもよい。カバー５１の内部に第１クッション６１および第２クッション６２を詰め込んだ後、カバー５１を縫い合わせることにより、挿入口５１Ｃをなくしてもよい。同様に、サイド台３０Ｌ，３０Ｒのカバー３６には挿入口３６Ｃが形成されているが、挿入口３６Ｃはなくてもよい。カバー３６の内部にクッション３７を詰め込んだ後、カバー３６を縫い合わせることにより、挿入口３６Ｃをなくしてもよい。
【００５７】
前記実施形態では、カバー３６のカバー本体３６Ａとカバー蓋３６Ｂとはファスナー３６Ｄにより接続されているが、ファスナー３６Ｄに代えてボタンなどの他の接続手段を用いるようにしてもよい。
【００５８】
前記実施形態では、中央台１０のカバー５１の内部に、第１クッション６１および第２クッション６２が配置されている。カバー５１の内部には、２層のクッションが配置されている。しかし、カバー５１の内部に配置されるクッションは、単層であってもよく、３層以上の多層構造を有していてもよい。サイド台３０Ｌ，３０Ｒのカバー３６の内部に配置されるクッションは単層であるが、２層以上の多層構造を有していてもよい。
【００５９】
前述のように、本願発明に係るペット用姿勢保持台は、下記の（Ａ）〜（Ｃ）の特徴を有している。
（Ａ）左サイド台および右サイド台の内側斜面の上下方向の寸法は、胴部支持面の左右方向の寸法の１／２以上である。
（Ｂ）前後方向と直交する断面において、左サイド台および右サイド台の内側斜面が水平線となす角の角度は、いずれも４５°以上かつ９０°未満に設定されている。
（Ｃ）前後方向と直交する断面において、胴部支持面の左端と左サイド台の底面の左端とを結ぶ直線と左サイド台の底面とがなす角の角度、および、胴部支持面の右端と右サイド台の底面の右端とを結ぶ直線と前記右サイド台の底面とがなす角の角度は、いずれも３０°〜６０°に設定されている。
しかし、本願発明とは別に、ここに開示される他の発明は、上記（Ａ）、（Ｂ）、および（Ｃ）の少なくとも一つの特徴を含んでいなくてもよい。他の発明は、上記（Ａ）、（Ｂ）、および（Ｃ）のいずれをも含んでいなくてもよい。
【００６０】
ここに開示される他の一の発明は、
四足歩行動物からなるペットの姿勢を保持するペット用姿勢保持台であって、
前記ペットの胴部を支持する胴部支持面を有し、前後方向の寸法が左右方向の寸法よりも大きい中央台と、
前記中央台の前記胴部支持面の左側に配置された左サイド台と、
前記中央台の前記胴部支持面の右側に配置された右サイド台と、
前記左サイド台と前記右サイド台とを連結し、前記中央台の前記胴部支持面の上に配置される連結体と、を備えたペット用姿勢保持台であってもよい。
【００６１】
ここに開示される他の一の発明は、
四足歩行動物からなるペットの姿勢を保持するペット用姿勢保持台であって、
前記ペットの胴部を支持する胴部支持面を有し、前後方向の寸法が左右方向の寸法よりも大きい中央台と、
それぞれ前記中央台の前記胴部支持面の左側、右側に配置され、上面の面積が底面の面積よりも小さい左右のサイド台と、を備え、
前記各サイド台は、カバーと、前記カバーの内部に配置されたクッションとを有し、
前記カバーは、前記クッションを挿入する挿入口が形成されたカバー本体と、前記挿入口を開閉自在に覆いかつ前記各サイド台の前記底面を形成するカバー蓋と、を有している、ペット用姿勢保持台であってもよい。
【符号の説明】
【００６２】
１    ペット用姿勢保持台
１０    中央台
１２ａ  胴部支持面
３０Ｌ  左サイド台
３０Ｒ  右サイド台
３２    底面
３３    外側面
３５    内側斜面
３６    カバー
３６Ａ  カバー本体
３６Ｂ  カバー蓋
３６Ｃ  挿入口
３６Ｄ  ファスナー
３７    クッション
４０    連結帯（連結体）
【図１】
2018198547.tif 000003
【図２】
2018198547.tif 000004
【図３】
2018198547.tif 000005
【図４】
2018198547.tif 000006
【図５】
2018198547.tif 000007
【図６】
2018198547.tif 000008
【図７】
2018198547.tif 000009
【図８】
2018198547.tif 000010
【図９】
2018198547.tif 000011
【図１０】
2018198547.tif 000012
【図１１】
2018198547.tif 000013
【図１２】
2018198547.tif 000014
【図１３】
2018198547.tif 000015
【図１４】
2018198547.tif 000016
【図１５】
2018198547.tif 000017
【図１６】
2018198547.tif 000018